(57)【要約】【課題】  保持されるデータ量を小さくして回路規模や製造コストを低減する。【解決手段】  同期信号データ生成回路１０１からは、映像信号フォーマット選択信号に応じた、同期信号の振幅レベルに対する同期信号レベルの割合を示す相対同期信号データが各タイミングごとに出力され、乗算器１０２により、同期信号振幅レベルデータが乗算され、除算器１０３により、同期信号データ生成回路１０１が出力し得る映像信号データの最大値Ｎで除算されて、実際の同期信号レベルを示す同期信号データが得られ、これに、加算器１０４により入力映像信号データが加算されて、入力映像信号データに同期信号データが重畳された出力映像信号データが生成される。【選択図】  図１
2005318508.tif 000002
【特許請求の範囲】
【請求項１】
入力映像信号データに同期信号データを重畳させて出力映像信号データを生成し、出力する映像信号データ生成装置であって、
同期信号の振幅レベルに対する同期信号レベルの割合を示す相対同期信号データを保持する記憶部と、
上記記憶部から読み出される相対同期信号データと上記同期信号の振幅レベルを示す同期信号振幅レベルデータとを乗算して、上記同期信号データを生成する乗算器と、
上記同期信号データを上記入力映像信号データに加算する加算器と、
を備えたことを特徴とする映像信号データ生成装置。
【請求項２】
請求項１の映像信号データ生成装置であって、
上記記憶部は、複数種類の映像信号フォーマットにおける同期信号パターンにそれぞれ対応する相対同期信号データを保持し、映像信号フォーマット選択信号によって選択される相対同期信号データが読み出されるように構成されていることを特徴とする映像信号データ生成装置。
【請求項３】
請求項１の映像信号データ生成装置であって、
上記記憶部は、読み出し専用メモリ、およびレジスタのうちの何れかであることを特徴とする映像信号データ生成装置。
【請求項４】
入力映像信号データに同期信号データを重畳させて出力映像信号データを生成し、出力する映像信号データ生成装置であって、
第１の映像信号フォーマットに対応する第１の同期信号のレベルの、振幅レベルに対する割合を示す第１の相対同期信号データ、および上記第１の相対同期信号データと合成されることによって、第２の映像信号フォーマットに対応する第２の同期信号のレベルの、上記振幅レベルに対する割合を示す第２の相対同期信号データが生成される関連相対同期信号データを保持する記憶部と、
上記第１の相対同期信号データと関連相対同期信号データとを加算して、上記第２の相対同期信号データを生成する加算器と、
上記第１または第２の相対同期信号データと、上記振幅レベルを示す同期信号振幅レベルデータとを乗算して、第１または第２の同期信号データを生成する乗算器と、
上記第１または第２の同期信号データを上記入力映像信号データに重畳させる重畳部と、
を備えたことを特徴とする映像信号データ生成装置。
【請求項５】
入力映像信号データに同期信号データを重畳させて出力映像信号データを生成し、出力する映像信号データ生成装置であって、
第１の映像信号フォーマットに対応する第１の同期信号のレベルの、振幅レベルに対する割合を示す第１の相対同期信号データ、および上記第１の同期信号のレベルを示す第１の同期信号データと合成されることによって、第２の映像信号フォーマットに対応する第２の同期信号のレベルを示す第２の同期信号データが生成される関連同期信号データのレベルの、上記振幅レベルに対する割合を示す関連相対同期信号データを保持する記憶部と、
上記第１の相対同期信号データ、および関連相対同期信号データに、それぞれ上記振幅レベルを示す同期信号振幅レベルデータを乗算して、上記第１の同期信号データ、および関連同期信号データを生成する乗算器と、
上記第１の同期信号データと関連同期信号データとを加算して、上記第２の同期信号データを生成する加算器と、
上記第１または第２の同期信号データを上記入力映像信号データに重畳させる重畳部と、
を備えたことを特徴とする映像信号データ生成装置。
【発明の詳細な説明】
【技術分野】
【０００１】
本発明は、所定の映像信号フォーマットに対応した同期信号パターンを有する映像信号データを生成し、出力する映像信号データ生成装置に関するものである。
【背景技術】
【０００２】
ディジタル的に処理された映像信号データを出力する映像信号データ生成装置では、入力映像信号データに水平同期信号データや垂直同期信号データなどの同期信号データを重畳させる処理が行われる。また、上記同期信号のパターンとしては、映像信号フォーマットの多様化に伴い、種々のものが適用される。
【０００３】
上記のような同期信号の重畳処理が行われる映像信号データ生成装置としては、例えば図１１に示すように、所定のタイミングごとの同期信号レベルを示す同期信号データが記憶されたＲＯＭ９０１〜９０３を備えたものが知られている。より詳しくは、上記ＲＯＭ９０１〜９０３には、それぞれ複数種類の各映像信号フォーマットについての同期信号データが記憶され、所定のタイミングごとにカウントアップされる水平カウンター値に応じた同期信号データが読み出されるようになっている。各ＲＯＭ９０１〜９０３から出力される同期信号データは、そのうちのいずれかが、セレクタ９０４により映像信号フォーマット選択信号に応じて選択され出力されるようになっている。
【０００４】
上記セレクタ９０４によって選択された同期信号データと、加算器９０５によって同期信号振幅レベルデータが加算された入力映像信号データとが、セレクタ９０６に入力され、同期信号出力期間を示す同期信号発生パルスに応じて選択されることにより、例えば図１２に示すような出力映像信号データが出力されるようになっている（例えば、特許文献１、２参照。）。ここで、上記入力映像信号データに同期信号振幅レベルデータが加算されるのは、通常、黒レベルを“０”とされる入力映像信号を同期信号の振幅レベルまで持ち上げるためである。具体的には、例えば入力映像信号データの値が０〜２５５、同期信号振幅レベルデータの値が０〜８（すなわち最大値が８）だとすると、上記最大値が、出力映像信号データにおける黒レベルとなるので、加算器９０５によって、入力映像信号データに８を加算する処理が行われる。
【特許文献１】特開平２―２６８０９３号公報
【特許文献２】特開平３―１１３９８２号公報
【発明の開示】
【発明が解決しようとする課題】
【０００５】
しかしながら、上記のような従来の映像信号データ生成装置では、同期信号レベルを直接示す同期信号データをＲＯＭ９０１〜９０３に記憶させているため、そのデータ量が大きく、したがって、回路規模や製造コストの増大を招きがちであるという問題があった。この問題点は、映像信号フォーマットの多様化に伴い、一層顕著なものとなる。また、上記のように、同期信号データがセレクタ９０６により選択されて出力映像信号データとされるように構成される場合には、入力映像信号データの黒レベルを上記同期信号データに合わせるために加算器９０５が必須となるため、その点でも、回路規模や製造コストが増大しがちである。
【０００６】
本発明は、上記の点に鑑み、保持されるデータ量の低減や回路の簡素化を図って、映像信号データ生成装置の回路規模や製造コストを低減することを目的としている。
【課題を解決するための手段】
【０００７】
上記の課題を解決するため、請求項１の発明は、
入力映像信号データに同期信号データを重畳させて出力映像信号データを生成し、出力する映像信号データ生成装置であって、
同期信号の振幅レベルに対する同期信号レベルの割合を示す相対同期信号データを保持する記憶部と、
上記記憶部から読み出される相対同期信号データと上記同期信号の振幅レベルを示す同期信号振幅レベルデータとを乗算して、上記同期信号データを生成する乗算器と、
上記同期信号データを上記入力映像信号データに加算する加算器と、
を備えたことを特徴とする。
【０００８】
これにより、記憶部には、同期信号レベルを直接示す同期信号データよりもデータ量の小さい相対同期信号データが保持される。また、入力映像信号データと同期信号データとが加算されるので、両者のレベルを合わせたりすることは必要とされない。
【０００９】
また、請求項２の発明は、
請求項１の映像信号データ生成装置であって、
上記記憶部は、複数種類の映像信号フォーマットにおける同期信号パターンにそれぞれ対応する相対同期信号データを保持し、映像信号フォーマット選択信号によって選択される相対同期信号データが読み出されるように構成されていることを特徴とする。
【００１０】
これにより、記憶部に保持されるデータ量は、同期信号レベルを直接示す同期信号データの合計よりも大幅に小さく抑えられる。
【００１１】
また、請求項３の発明は、
請求項１の映像信号データ生成装置であって、
上記記憶部は、読み出し専用メモリ、およびレジスタのうちの何れかであることを特徴とする。
【００１２】
これにより、より記憶部の記憶容量を小さく抑えるとともに、種々の映像信号フォーマットに対応した相対同期信号データがレジスタに書き込まれることによって、柔軟な出力映像信号データが生成される。
【００１３】
また、請求項４の発明は、
入力映像信号データに同期信号データを重畳させて出力映像信号データを生成し、出力する映像信号データ生成装置であって、
第１の映像信号フォーマットに対応する第１の同期信号のレベルの、振幅レベルに対する割合を示す第１の相対同期信号データ、および上記第１の相対同期信号データと合成されることによって、第２の映像信号フォーマットに対応する第２の同期信号のレベルの、上記振幅レベルに対する割合を示す第２の相対同期信号データが生成される関連相対同期信号データを保持する記憶部と、
上記第１の相対同期信号データと関連相対同期信号データとを加算して、上記第２の相対同期信号データを生成する加算器と、
上記第１または第２の相対同期信号データと、上記振幅レベルを示す同期信号振幅レベルデータとを乗算して、第１または第２の同期信号データを生成する乗算器と、
上記第１または第２の同期信号データを上記入力映像信号データに重畳させる重畳部と、
を備えたことを特徴とする。
【００１４】
また、請求項５の発明は、
入力映像信号データに同期信号データを重畳させて出力映像信号データを生成し、出力する映像信号データ生成装置であって、
第１の映像信号フォーマットに対応する第１の同期信号のレベルの、振幅レベルに対する割合を示す第１の相対同期信号データ、および上記第１の同期信号のレベルを示す第１の同期信号データと合成されることによって、第２の映像信号フォーマットに対応する第２の同期信号のレベルを示す第２の同期信号データが生成される関連同期信号データのレベルの、上記振幅レベルに対する割合を示す関連相対同期信号データを保持する記憶部と、
上記第１の相対同期信号データ、および関連相対同期信号データに、それぞれ上記振幅レベルを示す同期信号振幅レベルデータを乗算して、上記第１の同期信号データ、および関連同期信号データを生成する乗算器と、
上記第１の同期信号データと関連同期信号データとを加算して、上記第２の同期信号データを生成する加算器と、
上記第１または第２の同期信号データを上記入力映像信号データに重畳させる重畳部と、
を備えたことを特徴とする。
【００１５】
これらにより、やはり記憶部の記憶容量を小さく抑えつつ、例えば３値同期信号および２値同期信号に対応した出力映像信号データなどを容易に生成することができる。
【発明の効果】
【００１６】
同期信号の振幅レベルに対する同期信号レベルの割合を示す相対同期信号データを記憶させるようにしたり、入力映像信号データと同期信号データとが加算されるようにすることによって、データ量を大幅に低減し、また、回路の簡素化を図ることができ、したがって、回路規模や製造コストを低減することが容易にできる。
【発明を実施するための最良の形態】
【００１７】
以下、本発明の実施形態を図面に基づいて詳細に説明する。
【００１８】
《発明の実施形態１》
映像信号データ生成装置は、図１に示すように、同期信号の振幅レベルに対する同期信号レベルの割合（両者のレベルが等しいときに出力し得る最大値をＮとする。）を示す相対同期信号データを出力する同期信号データ生成回路１０１と、上記相対同期信号データに、映像信号フォーマットに応じた同期信号振幅レベルデータを乗算した積を出力する乗算器１０２と、乗算器１０２の出力を上記最大値Ｎで除算する除算器１０３と、除算器１０３の出力を入力映像信号データに加算する加算器１０４とを備えている。ここで、本実施形態では、同期信号幅前後の時間範囲における上記入力映像信号データは、値“０”によって黒レベルであることが示されるとして説明する。
【００１９】
上記同期信号データ生成回路１０１は、具体的には、例えば図２に示すように、同期信号発生パルスの立ち上がりエッジおよび立ち下がりエッジを検出するエッジ検出回路１０１ａと、検出されたエッジタイミングおよびエッジの遷移方向に応じて、図示しない所定のクロック信号によりカウンター値をカウントアップまたはカウントダウンするカウンター１０１ｂと、上記カウンター値および映像信号フォーマット選択信号に応じた相対同期信号データを出力するＲＯＭ１０１ｃとを備えて構成されている。
【００２０】
上記カウンター１０１ｂは、より詳しくは、例えば図３〜図５に示すように、カウンター値が“８”のときに同期信号発生パルスが立ち下がると、カウンター値を順次カウントダウンし、カウンター値が“０”になると、その値“０”を出力し続けるようになっている。また、その後に同期信号発生パルスが立ち上がると、カウンター値を順次カウントアップし、カウンター値が“８”になると、その値“８”を出力し続けるようになっている。
【００２１】
ＲＯＭ１０１ｃは、例えば図６に示すように、上記カウンター値と映像信号フォーマット選択信号とによって定まる領域に、各映像信号フォーマットについての、同期信号発生パルスを基準とするタイミングごとの相対同期信号データが記憶されている。
【００２２】
上記のように構成された映像信号データ生成装置では、同期信号データ生成回路１０１からは、映像信号フォーマット選択信号によって示される映像信号フォーマットについての、同期信号発生パルスを基準とするタイミングごとの相対同期信号データが出力される。
【００２３】
乗算器１０２は、上記相対同期信号データに同期信号振幅レベルデータを乗算し、除算器１０３は、上記乗算結果を相対同期信号データの最大値Ｎで除算する。これによって、除算器１０３からは、実際の同期信号レベルを示す同期信号データが出力される。
【００２４】
そこで、上記同期信号データが、加算器１０４によって入力映像信号データに加算され、入力映像信号データに同期信号データが重畳された出力映像信号データが生成され、出力される。
【００２５】
上記のように、ＲＯＭ１０１ｃに、同期信号の振幅レベルに対する同期信号レベルの割合を示す相対同期信号データを記憶させることによって、ＲＯＭ１０１ｃに記憶させるデータ量を小さく抑え、ＲＯＭ１０１ｃの記憶容量を小さくすることができる。また、入力映像信号データの黒レベルを上記同期信号データに合わせるための加算をしたりする必要がないので、回路の簡素化を図ることもできる。したがって、回路規模を低減し、製造コストを安くすることが容易にできる。
【００２６】
なお、上記カウンター１０１ｂに保持されるカウンター値の範囲は“０〜８”に限らず、クロック信号の周波数や同期信号幅などに応じて設定すればよく、また、映像信号フォーマットの種類も３種類に限らず種々に設定すればよい。さらに、相対同期信号データの最大値Ｎも“８”に限らず、必要とされる同期信号レベルの精度（分解能）等に応じて種々に設定すればよい。
【００２７】
また、例えば、入出力映像信号データとして、上記のような入出力映像信号データをＮ倍したデータが用いられる場合や、ＲＯＭ１０１ｃに記憶される値が０〜１の間の値であるとして各演算が行われる場合には、除算器１０３は必ずしも設けなくてもよい。すなわち、乗算器１０２または除算器１０３から出力される値と、入力映像信号データとのデータ形式（小数点の位置の解釈等）が対応していればよい。
【００２８】
また、上記のようにデータ量を小さく抑えることによって１つのＲＯＭ１０１ｃを用いることが容易にできるが、これに限らず、複数のＲＯＭ１０１ｃを設け、複数種類の映像信号フォーマットに応じた相対同期信号データが同時に出力されるようにして、そのうちのいずれかが映像信号フォーマット選択信号に応じて選択されるようにしてもよい。
【００２９】
《発明の実施形態２》
上記実施形態１のような構成において、ＲＯＭ１０１ｃを用いるのに代えて（またはＲＯＭ１０１ｃと伴に）図７に示すようにレジスタ２０１ｃを用いるようにしてもよい。上記レジスタ２０１ｃには、図示しない制御部によって、必要に応じて映像信号フォーマットに対応した相対同期信号データが書き込まれる。これにより、小さな回路規模で、種々の映像フォーマットに対して柔軟に出力映像信号データを生成することができる。特に、映像信号データ生成装置が映像機器に実装された状態であっても、例えば図８に示すような微妙な同期信号波形の調整が可能となる。
【００３０】
なお、レジスタ２０１ｃは、１つの映像信号フォーマットに対応する相対同期信号データを記憶させる容量があれば十分であるが、これに限らず、複数種類の映像信号フォーマットに対応する相対同期信号データを記憶させられるようにして、実施形態１と同じように映像信号フォーマット選択信号に応じて切り替えることなどもできるようにしてもよい。
【００３１】
《発明の実施形態３》
前記のように図２または図７について説明した同期信号データ生成回路１０１に代えて、図９に示すように、エッジ検出回路１０１ａ、カウンター１０１ｂ、およびＲＯＭ１０１ｃ（またはレジスタ２０１ｃ）を複数組（同図の例では２組）並列に設け、各ＲＯＭ１０１ｃからの出力が加算器３０１によって加算されることにより、相対同期信号データが出力されるようにしてもよい。
【００３２】
上記エッジ検出回路１０１ａは、それぞれ第１または第２の同期信号発生パルスにおけるエッジを検出するようになっている。
【００３３】
上記のように構成することによって、例えば、図１０に示すように、例えばRec. ITU-R BT.709-5や、同1358、同470-6、SMPTE170Mなどの規格で規定されている高解像度（ＨＤ）フォーマットに対応した同期信号データ（黒レベルと中心として上下同レベルの振幅を有する３値同期信号と呼ばれる波形を示す同期信号データ）と、標準解像度（ＳＤ）フォーマットに対応した同期信号データとを容易に生成することができる。すなわち、一方のＲＯＭ１０１ｃから、黒レベルを基準としてレベルがＨ（Ｈｉｇｈ）→Ｌ（Ｌｏｗ）→Ｈと変化するＳＤフォーマットの同期信号データを出力させ、他方のＲＯＭ１０１ｃから、逆にＬ→Ｈ→Ｌと変化する新たなデータ（ＨＤ、ＳＤ両方のフォーマットの関連を示すデータ）を出力させ、これらを組み合わせることによって、ＨＤフォーマット用の同期信号データを生成することができる。また、第１の同期信号発生パルスのレベルを一定に保ち（したがって上記他方のＲＯＭ１０１ｃの出力はＬレベルに保たれる）、第２の同期信号発生パルスのレベルだけを変化させれば、ＳＤフォーマットに対応した同期信号データを生成することができる。
【００３４】
なお、上記のように加算器３０１による加算結果を乗算器１０２によって同期信号振幅レベルデータと乗算するのに限らず、例えば乗算器１０２も２つ設けて、各ＲＯＭ１０１ｃの出力に同期信号振幅レベルデータを乗算し、これらの乗算結果を加算器３０１によって加算するようにしてもよい。
【００３５】
また、上記のようにして生成された同期信号データは、実施形態１で説明したように入力映像信号データと加算するのに限らず、セレクタで何れか一方が選択されるようにしてもよい。ただし、入力映像信号データの黒レベルを同期信号データに合わせるための加算をしたりするためには、多少回路規模が大きくなる場合もあるが、ＲＯＭ１０１ｃ等の記憶容量を容易に小さく抑え得る効果が得られる点は同様である。
【産業上の利用可能性】
【００３６】
本発明にかかる映像信号データ生成装置は、同期信号の振幅レベルに対する同期信号レベルの割合を示す相対同期信号データを記憶させるようにしたり、入力映像信号データと同期信号データとが加算されるようにすることによって、データ量を大幅に低減し、また、回路の簡素化を図ることができ、したがって、回路規模や製造コストを低減することが容易にできる効果を有し、所定の映像信号フォーマットに対応した同期信号パターンを有する映像信号データを生成して出力する映像信号データ生成装置等として有用である。
【図面の簡単な説明】
【００３７】
【図１】実施形態１の映像信号データ生成装置の構成を示すブロック図である。
【図２】同、同期信号データ生成回路１０１の具体的な構成を示すブロック図である。
【図３】同、相対同期信号データの例を示す説明図である。
【図４】同、相対同期信号データの他の例を示す説明図である。
【図５】同、相対同期信号データのさらに他の例を示す説明図である。
【図６】同、ＲＯＭ１０１ｃの記憶内容の例を示す説明図である。
【図７】実施形態２の映像信号データ生成装置における同期信号データ生成回路１０１の具体的な構成を示すブロック図である。
【図８】同、相対同期信号データの例を示す説明図である。
【図９】実施形態３の映像信号データ生成装置における同期信号データ生成回路１０１の具体的な構成を示すブロック図である。
【図１０】同、相対同期信号データの例を示す説明図である。
【図１１】従来の映像信号データ生成装置の構成を示すブロック図である。
【図１２】同、生成される出力映像信号波形の例を示す説明図である。
【符号の説明】
【００３８】
１０１      同期信号データ生成回路
１０１ａ    エッジ検出回路
１０１ｂ    カウンター
１０１ｃ    ＲＯＭ
１０２      乗算器
１０３      除算器
１０４      加算器
２０１ｃ    レジスタ
３０１      加算器
【図１】
2005318508.tif 000003
【図２】
2005318508.tif 000004
【図３】
2005318508.tif 000005
【図４】
2005318508.tif 000006
【図５】
2005318508.tif 000007
【図６】
2005318508.tif 000008
【図７】
2005318508.tif 000009
【図８】
2005318508.tif 000010
【図９】
2005318508.tif 000011
【図１０】
2005318508.tif 000012
【図１１】
2005318508.tif 000013
【図１２】
2005318508.tif 000014